(57)【特許請求の範囲】
【請求項１】
射撃訓練の標的として用いられる中空展張体において、加熱空気により展張し展張状態において赤外線が透過する前面の赤外線透過膜とこの膜に対向する後面側に設けた赤外線放射膜とを有する円筒形部とこの円筒形部の両端部に設けられ外部へ向かって膨出する端面とを有し折りたたみ可能な中空展張体本体と、
前記円筒形部の両端部の一方の端面に設けられ中空展張体の内部へ加熱空気を送り込むための加熱空気入口と、
前記円筒形部の両端部の他方の端面に設けられ中空展張体の内部の加熱空気を排出するための加熱空気出口と、
を有することを特徴とする中空展張体。
【発明の詳細な説明】
【０００１】
【発明の属する技術分野】
本発明は、射撃訓練の標的として用いられる赤外線放射装置に用いられる中空展張体に関する。
【０００２】
【従来の技術】
従来例としては特開平９−１４８９４号公報に示される赤外線放射装置がある。
【０００３】
【発明が解決しようとする課題】
上述従来の技術は射撃訓練の標的としてはすぐれたものである。
【０００４】
本発明は従来の技術を更に発展させたものである。
【０００５】
本発明は軽量で、可搬性にすぐれ、経済性の高い赤外線放射装置に用いられる可搬性のすぐれた中空展張体を提供する事を目的とする。
【０００６】
【課題を解決するための手段】
本出願に係る第１の発明は射撃訓練の標的として用いられる中空展張体において、加熱空気により展張し展張状態において赤外線が透過する前面の赤外線透過膜とこの膜に対向する後面側に設けた赤外線放射膜とを有する円筒形部とこの円筒形部の両端部に設けられ外部へ向かって膨出する端面とを有し折りたたみ可能な中空展張体本体と、前記円筒形部の両端部の一方の端面に設けられ中空展張体の内部へ加熱空気を送り込むための加熱空気入口と、前記円筒形部の両端部の他方の端面に設けられ中空展張体の内部の加熱空気を排出するための加熱空気出口と、を有することを特徴とする中空展張体である。
【００３２】
【発明の実施の形態】
（実施の形態１）
以下、本発明の実施の形態を図面を用いて説明する。図１は平面図、図２は図１の正面図、図３は図２のＡ−Ａ断面図、図４は熱風発生器の水平断面図である。
【００３３】
図１、図２に示すように中空展張体Ｂは折りたたみ可能で加熱空気により展張し展張状態において赤外線が透過する前面の赤外線透過膜１とこの膜１に対向する後面側に設けた赤外線放射膜２とを有する中空展張体本体３と、中空展張体本体３に設けられ中空展張体Ｂの内部へ加熱空気を送り込むための加熱空気入口４と、中空展張体Ｂに設けられ中空展張体Ｂの内部の加熱空気を排出するための加熱空気出口５と、を有する。
【００３４】
この中空展張体Ｂの展張状態における形状は赤外線透過膜１と赤外線放射膜２とを有する円筒形部６と、円筒形部６の両端部に設けられ一方端に加熱空気入口４、他方端に加熱空気出口５を有し外部へ向かっておわん状に膨出する端面７，８と、を有する形状である。加熱空気入口４、加熱空気出口５は赤外線放射装置を地上に展張設置した状態で地上近くにある。
【００３５】
中空展張体本体３は加熱空気を密封可能な赤外線透過膜１でもって中空密封体とし、後面までまわり込んでる赤外線透過膜１の内側に赤外線放射膜２として発泡ウレタン膜を設けてある。この赤外線放射膜２としては可とう性のある断熱材であればよく、発砲ウレタンの他グラスウール、発砲ウレタンとグラスウールを層構造とした膜でも良く、特に限定はされない。
【００３６】
この赤外線放射膜２は円筒形部６の内後部の半円筒部分に設けてある。従って、円筒部６は赤外線透過膜１のみの部分と赤外線透過膜１の内側に赤外線放射膜２を貼り付けた部分とが夫々半円宛となっている。
【００３７】
また、中空展張体Ｂは後面外側及び端面外側に補強のためゴム引き布９を貼り合わせてある。このため、赤外線を透過するために必要な部分以外を破れ難くしたので損傷の機会を減少するのに効果がある。補強材としてはシート状である程度の強度と密封性があればゴム引き布に代えてもよい。
【００３８】
中空展張体Ｂは展張状態において円筒形を保つために円筒形部６の両端部外側に支持リング１１を着脱可能に設けてある。この支持リング１１は中空展張体Ｂを展張した際に円筒形部６の形状を周方向で円形に規制するものであり、中空展張体本体３がポリエチレン、発泡ウレタン、ゴム引き布等の可撓性シートでできた中空体を展張するため形状を整えるのに有効である。
【００３９】
支持リング１１がアルミニウム又はプラスチックもしくはこれらの複合材である。従って、装置全体の重量を軽量化するのに寄与する。なお、支持リング１１の材料としては剛性が必要であり、補強、補剛に適すれば、金属材料、例えば鉄材、チタン合金等を用いることができる。
【００４０】
本例では、加熱空気入口４又は加熱空気出口５の外部側に夫々可撓性熱風配管１２を一体もしくは一体的に設けてある。ただし、熱風配管１２を加熱空気入口４又は及び加熱空気出口４に取り外し可能に取り付けてもよい。
【００４１】
熱風配管１２も折りたたみ可能なものが好ましく、例えばアルミ性フレキシブルチューブ、ガラス繊維で織ったチューブを外周にはめ込んだ耐熱ゴム製チューブを用いる。また折りたたみをしない場合は可撓性があればよいので厚手の耐熱ゴムチューブを用いればよい。又、必ずしも可撓性がなくてもよく、例えば複数の耐熱樹脂例えばポリイミド製パイプ又はアルミニウムパイプ等を連結可能に設けてもよい。
【００４２】
加熱空気入口４と加熱空気出口５とを中空展張体Ｂの外部で連通する熱風配管１２には熱風発生器１３が介装してある。本例では熱風発生器１３の吐出口１３ａと中空展張体Ｂの加熱空気入口４とを直結し、熱風発生器１３の吸込口１３ｂと加熱空気出口５との間を熱風配管１２で連結した。
【００４３】
この熱風配管１２は可撓性のある方が可搬性の点で好ましい。ただし、熱風発生器１３により生ずる加熱空気圧力によっては常時中空形状を保った可撓性チューブを用いる。
【００４４】
図４に示すように熱風発生器１３は加熱空気出口５に連通する吸込口１３ｂと加熱空気入口４に連通する吐出口１３ａとを有する中空筐体１３ｃと、吸込口１３ｂ側に設けられ筐体内へ向って送風する循環空気用ファン１４と、このファン１４と吐出口１３ａ側に設けられた空気加熱手段と、を有する。
【００４５】
空気加熱手段は外気を取り入れて燃焼炎を筐体１３内に吹き出すオイルバーナ１５である。燃焼炎の吹き出す場所は吸込口１３ｂから吐出口１３ａ間であればよく、本例では空気循環用ファン１４の下流側となっている。このオイルバーナ１５は灯油、ガソリン等を気化して燃焼する燃焼器１５ａと、燃焼器１５ａで燃焼した炎の安定を計る燃焼筒１５ｂと、燃焼空気を外気から取り入れて燃焼器１５ａに供給し、燃焼ガスを燃焼筒１５ｂを通じて筐体１３ｃ内へ送り出すための燃焼空気供給ファン１５ｃを有する。なお、空気加熱手段としてはガスバーナーを用いることができる。
【００４６】
熱風発生器１３と中空展張体Ｂ間を循環する空気が不足した場合に外気を取り入れ、該空気が余分の場合に排出する開口部１６を有する。前記開口部１６は空気循環用ファン１４のすぐ上流側に設けられている。この開口部１６は筐体１３に設けられている。ただしこの開口部１６の位置、数は限定されるものではなく、中空展張体Ｂの展張状態が保たれ、且つ中空展張体Ｂ内の温度が安定するように設けられてる。これによって、また、オイルバーナ１５の燃焼も安定する。
【００４７】
この熱風発生器１３は熱風配管１２に着脱可能に介装又は熱風配管１２と加熱空気入口４間に着脱可能に介装される。これによって、容積が小さく占有空間も小さい熱風発生器１３と折りたたんだ熱風配管１２付の中間展張体Ｂの二部材となり、これら二部材は小容積で軽量であるから可搬性にすぐれ陸上での移動が容易である。なお、支持リング１１は円筒部６と端面７，８の境界に編み込んでもよく、この場合支持リング１１はひも等の可撓性のものをぬい込む。
【００４８】
上述のように構成される気球式赤外線放射装置は図５（ａ）に示すように折りたたんだ中空展張体Ｂと熱風発生器１３をセットして運搬或は保管される。従って可搬性も良く、保管場所も小さくて良い。
【００４９】
図５（ｂ）は搬送後設置場所で折りたたんだ中空展張体Ｂから熱風配管１２を引き出して平面図形で見ると未だ展張していないが図１とほぼ同様な形として熱風配管１２の一端を熱風発生器１３の吸込口１３ｂに連結し、熱風発生器１３の吐出口１３ａを中空展張体Ｂの空気入口４に連結した状態である。
【００５０】
次に図５（ｃ）に示すように熱風発生器１３を始動すると、オイルバーナ１５が点火されると共に各ファン１４，１５ｃが運転される。空気循環用ファン１４は始動当初は熱風配管１２から吸い込むべき空気がないので吸込側の負圧は大きくなり、開口部１６から外気を引き込む。またオイルバーナ１５の燃焼空気供給ファン１５ｃは大気から燃焼器１５ａによる燃焼に必要な空気を供給し、燃焼ガスを筐体１３ｃ内の吸込口１３ｂから吐出口１３ａまでの空気循環用ファン１４による空気流中へ吹き込むので高温ガスの温度は低下すると共にこのファン１４により送られた空気を膨張させる。従って、吐出口１３ａ、加熱空気入口４を通じて中空展張体Ｂへ急速に加熱空気が送り込まれるので中空展張体Ｂはすばやく展張する。そして、ある程度まで展張すると増加した加熱空気の圧力で加熱空気出口５から熱風配管１２を展張したら加熱空気は循環空気用ファン１４へ還流してくる。かくして、この間に中空展張体Ｂは展張をほぼ終り、ファン１４で送られる空気はオイルバーナ１５で生じた燃焼ガスで加熱されて、加熱空気入口４→中空展張体Ｂ→熱風配管１２→熱風発生器１３と循環する。
【００５１】
空気循環用ファン１４の吸込側の状態は上述のように始動時は負圧であるため循環空気用ファン１４の吸込空気は開口部１６からほぼ全量が得られる。運転当初は各部分の温度が低いため循環してくる空気は冷却が急速であるのと、夫々オイルバーナ１５は空気循環用ファン１４が開口部１６から吸い込んだ空気のみを加熱するので相対的には運転当初に熱風発生器１３の吐出口１３ａから送り出される加熱空気の温度は低い。時間の経過と共に循環する加熱空気の熱風発生器１３から送り出された加熱空気とこの加熱空気が熱風発生器１３へ還流して来た際の加熱空気温度は共に上昇すると共に圧力低下も減少して空気循環用ファン１４の吸込口側圧力は上昇する。この空気循環用ファン１４の吸込口側圧力が大気圧よりも上昇すると開口部１６から筐体１３ｃへ還流する加熱空気は一部が排出される。
【００５２】
定常的な状態において、一定時間内の燃焼空気供給ファン１５ｃにより、筐体１３ｃ内へ吹き込まれる空気の重量と開口部１６から排出される空気の重量は等しくなる。
【００５３】
中空展張体Ｂ内の温度が上昇してくると赤外線透過膜１は例えばポリエチレン膜のように薄いので外気により冷却されて温度は上昇しない。一方、前面の赤外線透過膜１に対向する後面は外部側がゴム引き布９、その内側が赤外線透過膜１の材料であるポリエチレン、更にその内側の前面の赤外線透過膜１に対面しているのは発泡ウレタンのように断熱性が高いので、加熱空気に加熱され外気の影響が緩和されている。そこでこれらの膜は赤外線放射膜２の機能を有し、赤外線を放射する。
【００５４】
訓練終了後に撤収する際は、オイルバーナ１５を消火すると共に循環空気用ファン１５を停止すると中空展張体Ｂと熱風配管１２は縮む。
【００５５】
熱風発生器１３を中空展張体Ｂ及び熱風配管１２から取り外し、熱風配管１２付の中空展張体Ｂを折りたたみ、その後、熱風発生器１３と折りたたんだ中空展張体Ｂを持ち帰る。
【００５６】
上述において支持リング１１を使用する場合は支持リング１１は例えば直径が約３ｍであり、折りたたみ形式が好ましい。リングを折りたたむことは周知されているので説明は省略する。
【００５７】
（実施の形態２）
図６に実施の形態２を示す。実施の形態１では中空展張体の加熱空気出口と熱風発生器の吸込口間を熱風配管で結んで熱風を循環したが、本実施の形態２は開放形である。
【００５８】
図６において実施の形態１と同一機能部材には同一の符号を付し、該符号を付した部材の説明は実施の形態１の説明を援用する。
【００５９】
図６に示すように熱風発生器１３の吸込口１３ｂは大気に連通している。本例では吸込口１３ｂは直接大気へ開放されている。中空展張体Ｂの加熱空気出口５は大気に連通している。本例では加熱空気出口５は直接大気に向って開口している。上記吸込口１３ｂ、加熱空気出口５は大気に連通すればよいのでダクト等で立ち上げてもよい。なお、加熱空気出口５に絞り弁を設けることによって中空展張体Ｂの展張を容易とし、熱効率の低下を抑制するようにしてもよい。
【００６０】
この実施の形態２のよれば準備作業、撤去作業を速やかに行うことができる。
【００６１】
実施の形態は円筒形部の両端に外方へ膨出する端面を有する中間展張体についてのべた。このような形状の中間展張体は加熱空気で加圧して形状を保つのが容易である。しかし本発明はこの形状に限定される訳ではなく、前面が赤外線透過膜で後面が前面に対向する側が赤外線を放射するものであればよく、例えば、ほぼ六立方体、ほぼ多角柱体の中空形状でもよい。
【００６２】
【発明の効果】
本発明の中空展張体によれば可搬性、組立、分解性及び経済性にすぐれた気球式赤外線放射装置の提供に寄与できた。
【００６３】
中空展張体は容易に赤外線を放射できると共に折りたたみ可能で軽量安価である。
【図面の簡単な説明】
図面は何れも本発明の実施の形態を示し
【図１】実施の形態１の気球式赤外線放射装置の平面図である。
【図２】図１の正面図である。
【図３】図２のＡ−Ａ断面図である。
【図４】熱風発生器の水平断面図である。
【図５】（ａ）（ｂ）（ｃ）は気球式赤外線放射装置の組立工程を示す斜視図である。
【図６】実施の形態２の気球式赤外線装置の平面図である。
【符号の説明】
Ｂ…中空展張体
１…赤外線透過膜
２…赤外線放射膜
３…中空展張体本体
４…加熱空気入口
５…加熱空気出口
６…円筒形部
７…端面
８…端面
９…ゴム引き布
１１…支持リング
１２…可撓性熱風配管
１３…熱風発生器  １３ａ…吐出口  １３ｂ…吸込口  １３ｃ…中空筐体
１４…循環空気用ファン
１５…オイルバーナ  １５ａ…燃焼器  １５ｂ…燃焼筒  １５ｃ…燃焼空気供給ファン
１６…開口部
【図１】
0004144823.tif 000002
【図２】
0004144823.tif 000003
【図３】
0004144823.tif 000004
【図４】
0004144823.tif 000005
【図５】
0004144823.tif 000006
【図６】
0004144823.tif 000007